(57)【要約】【目的】検索画像がＩピクチャ、Ｐピクチャ、Ｂピクチャに関わらず、高速検索が可能な光ディスク再生装置を得る。【構成】本発明に係る光ディスク再生装置は、予め指定された映像情報シーケンスの先頭にあるシーケンスヘッダ情報のアドレスと、上記シーケンスヘッダ情報のアドレスにそれぞれ対応した番号列情報とを含む画像情報テーブルを格納するためのメモリを備え、光ディスクの再生時において、上記テーブル情報を読み出して得られる上記シーケンスヘッダ情報のアドレスにアクセスすることにより、上記指定された映像情報シーケンスの映像情報を復号し、画像選択のための一覧画像表示を行なうものである。【選択図】図３
2006262499.tif 000002
【特許請求の範囲】
【請求項１】
フレーム内でデータ圧縮されたＩピクチャと、時間的に前方向のＩピクチャによる動き補償を加えてデータ圧縮されたＰピクチャと、時間的に前後方向のＩピクチャまたはＰピクチャによる動き補償を加えてデータ圧縮されたＢピクチャとを混在してなる映像情報ブロックを含み、先頭にヘッダ情報を有する映像情報シーケンスが記録された光ディスクを再生する光ディスク再生装置において、
予め指定された映像情報シーケンスの先頭にあるシーケンスヘッダ情報のアドレスと、上記シーケンスヘッダ情報のアドレスにそれぞれ対応した番号列情報とを含む画像情報テーブルを格納するためのメモリを備え、
上記光ディスクの再生時において、上記テーブル情報を読み出して得られる上記シーケンスヘッダ情報のアドレスにアクセスすることにより、上記指定された映像情報シーケンスの映像情報を復号し、画像選択のための一覧画像表示を行なうことを特徴とする光ディスクの再生装置。
【請求項２】
上記メモリは、上記画像情報テーブル情報に対して与えられる、上記光ディスクを識別するＩＤ情報をさらに格納するものであり、
上記光ディスクの再生時において、上記ＩＤ情報を読み出し、上記テーブル情報のシーケンスヘッダのアドレスにアクセスすることを特徴とする請求項１に記載の光ディスク再生装置。
【請求項３】
選択された画像Ｎ個（Ｎ≧１）により構成される一覧画像表示を行なうことを特徴とする請求項１の光ディスク再生装置。
【請求項４】
フレーム内でデータ圧縮されたＩピクチャと、時間的に前方向のＩピクチャによる動き補償を加えてデータ圧縮されたＰピクチャと、時間的に前後方向のＩピクチャまたはＰピクチャによる動き補償を加えてデータ圧縮されたＢピクチャとを混在してなる映像情報ブロックを含み、先頭にヘッダ情報を有する映像情報シーケンスが記録された光ディスクを再生する光ディスク再生方法において、
予め指定された映像情報シーケンスの先頭にあるシーケンスヘッダ情報のアドレスと、上記シーケンスヘッダ情報のアドレスにそれぞれ対応した番号列情報とを含む画像情報テーブルを上記光ディスクの再生装置のメモリに格納し、
上記光ディスクの再生時において、上記テーブル情報を読み出して得られる上記シーケンスヘッダ情報のアドレスにアクセスすることにより、上記指定された映像情報シーケンスの映像情報を復号し、画像選択のための一覧画像表示を行なうことを特徴とする光ディスクの再生方法。
【請求項５】
上記メモリに、上記画像情報テーブル情報に対して与えられる、上記光ディスクを識別するＩＤ情報をさらに格納し、
上記光ディスクの再生時において、上記ＩＤ情報を読み出し、上記テーブル情報のシーケンスヘッダのアドレスにアクセスすることを特徴とする請求項４に記載の光ディスク再生方法。
【請求項６】
選択された画像Ｎ個（Ｎ≧１）により構成される一覧画像表示を行なうことを特徴とする請求項４の光ディスク再生方法。
【発明の詳細な説明】
【技術分野】
【０００１】
本発明は、光ディスクに記録された高能率符号化データを再生する光ディスク再生装置、および再生方法に関する。
【背景技術】
【０００２】
図１４は特開平４−１１４３６９号公報に開示されている従来の光ディスク記録再生装置のブロック回路図で、１は入力されるアナログの映像信号や音声信号（以下、「入力画像信号」という）、２は入力画像信号１をディジタル情報に変換するＡ／Ｄ変換器、３はディジタル情報を圧縮する情報圧縮手段、４は圧縮情報をフレーム周期の整数倍に等しいセクタ情報に変換するフレームセクタ変換手段、５はディスク用のフォーマットに変換するエンコーダ、６は記録媒体での干渉を小さくするために変調符号に変換する変調器、７は上記変調符号に従ってレーザを変調するレーザ駆動回路、８はレーザ出力スイッチ、２０はレーザを出射する光ヘッド、２１は光ヘッド２０から出射された光ビームをトラッキングするアクチュエータ、２２は光ヘッド２０を送るトラバースモータ、１９は光ディスク１８を回転させるディスクモータ、１６はモータ駆動回路、１７は制御回路である。
【０００３】
また、９は光ヘッド２０で再生された再生信号を増幅する再生アンプ、１０は再生された変調信号を復調する復調器、１１はデコーダ、１２はフレームセクタ逆変換手段、１３は逆変換された圧縮情報を伸張する情報伸張手段、１４は伸張された情報をアナログの映像信号や音声信号に変換するＤ／Ａ変換器、１５は出力画像信号である。
【０００４】
図１５はディジタル映像信号を圧縮して伝送、蓄積するために規格化が進められているＭＰＥＧ方式のデータ配列構造（レイヤ構造）を示す図で、１２１は複数のフレーム情報からなるＧＯＰ、１２２はいくつかのピクチャ（画面）で構成されるＧＯＰレイヤ、１２３は一画面をいくつかのブロックに分割したスライス、１２４はいくつかのマクロブロック（ＭＢ）で構成されるスライスレイヤ、１２５はいくつかのブロックで構成されるマクロブロックレイヤ、１２６は８画素×８画素で構成されるブロックレイヤである。
【０００５】
図１６は９画面を１ＧＯＰとしたときの符号化構造を示した図で、１３１はフレーム内で符号化されるＩピクチャ、１３２はＩピクチャ１３１、またはＰピクチャを参照して前方向の動き補償からフレーム間符号化されるＰピクチャ、１３３は時間的に前後に位置するＩピクチャ１３１およびＰピクチャ１３２を参照して両方向の動き補償からフレーム間符号化されるＢピクチャである。
【０００６】
次に、従来の光ディスク記録再生装置の動作について説明する。光ディスク１８などの媒体に、情報量が多い映像信号を記録するには、情報量を圧縮した後、記録することが一般的である。図１４はこのように光ディスク１８に映像信号を記録する映像信号記録再生装置であり、Ａ／Ｄ変換器２よりディジタル化された映像情報は、例えば、ＭＰＥＧ等の標準圧縮方法による情報圧縮手段３により圧縮される。この圧縮情報はエンコードされディスク上で符号間干渉の影響を小さくするための変調が施されて光ディスク１８に記録される。このとき、例えば、各ＧＯＰ単位でのデータ量はほぼ同じ量になるようにし、また、フレーム周期の整数倍に等しいセクタに振り分けることにより、ＧＯＰ単位での編集が可能となる。
【０００７】
また、再生時には、光ディスク１８に記録された圧縮映像信号を、光ヘッド２０で再生して、再生アンプ９で増幅し、復調器１０、デコーダ１１によりディジタルデータに復号する。その後、フレームセクタ逆変換手段１２でアドレス、パリティ等のデータを取り除き、純粋な映像圧縮データを得、このデータを例えば、ＭＰＥＧ復号方法による情報伸張手段１３により、ディジタル映像信号に再生し、Ｄ／Ａ変換器１４によりアナログの画像信号に変換してモニタ等に表示する。
【０００８】
ここで、上述したように、ディジタル映像信号圧縮方法としてＭＰＥＧ方式を用いると、図１６に示したように、フレーム内符号化される映像情報であるＩピクチャ１３１と、前方向の動き補償によるフレーム間符号化される映像情報であるＰピクチャ１３２と、時間的に前後に位置するＩピクチャ１３１、およびＰピクチャを参照画像としてフレーム間符号化される映像情報であるＢピクチャ１３３が含まれた、ＧＯＰの連続した符号化構造が光ディスク１８に記録されることになる。
【０００９】
このとき、Ｉピクチャ１３１はフレーム内符号化されるため、Ｉピクチャ１３１のデータのみで画像再生が可能である。ところが、Ｐピクチャ１３２は、Ｉピクチャ１３１、またはＰピクチャ１３２からの前方向の動き補償によるフレーム間符号化されるため、Ｉピクチャ１３１、またはＰピクチャ１３２を復元した後でないと再生できない。同様に、Ｂピクチャ１３３は、時間的に前後に位置するＩピクチャ１３１、およびＰピクチャ１３２を参照画像としてフレーム間符号化されるため、Ｉピクチャ１３１、またはＰピクチャ１３２を復号した後でないと再生できない。
【００１０】
【特許文献１】特開平４−１１４３６９号公報
【発明の開示】
【発明が解決しようとする課題】
【００１１】
ビデオディスクに記録されている符号化構造は、上記に述べた様になっているので、単独で復号できるピクチャはＩピクチャのみである。よって従来、画像検索等を行なう際に検索できる画像はＩピクチャに限られていた。
【００１２】
また、従来のビデオディスク記録再生装置、または再生装置は、記録、または再生しているビデオディスクを識別できないため、各ビデオディスクに対応した検索画像や再生開始画像等は分からなかった。
【００１３】
本発明は前記のような問題点を解消するためになされたもので、第一の目的は、個々のビデオディスクの画像を検索する際、Ｉピクチャ、Ｐピクチャ、およびＢピクチャの画像を、全て高速度で検索できるビデオディスク記録再生装置を得ることである。
【００１４】
また、第二の目的は、映像信号等をビデオディスク等に記録中に、前記映像信号中から検索画像等を選択することができるビデオディスク記録再生装置を得ることである。
【００１５】
また、第三の目的は、ビデオディスク等に記録された映像信号の再生中に、該再生画像中から検索画像等を選択画像として選択することができるビデオディスク記録再生装置を得ることである。
【００１６】
また、第四の目的は、ビデオディスク等に記録された検索画像等の画像を、縮小して表示面上に同時に複数表示することができるビデオディスク記録再生装置を得ることである。
【００１７】
また、第五の目的は、個々のビデオディスクにおいて、画像を検索する等の際、Ｉピクチャ、Ｐピクチャ、およびＢピクチャの画像を、全て高速度で検索できるビデオディスク再生装置を得ることである。
【００１８】
また、第六の目的は、ビデオディスク等に記録された映像信号の再生中に、この再生画像のなかから、検索画像等を、選択画像として選択することができるビデオディスク再生装置を得ることである。
【００１９】
また、第七の目的は、ビデオディスク等に記録された画像を、縮小して表示面上に同時に複数表示することができるビデオディスク再生装置を得ることである。
【課題を解決するための手段】
【００２０】
本発明に係る光ディスク再生装置は、フレーム内でデータ圧縮されたＩピクチャと、時間的に前方向のＩピクチャによる動き補償を加えてデータ圧縮されたＰピクチャと、時間的に前後方向のＩピクチャまたはＰピクチャによる動き補償を加えてデータ圧縮されたＢピクチャとを混在してなる映像情報ブロックを含み、先頭にヘッダ情報を有する映像情報シーケンスが記録された光ディスクを再生する光ディスク再生装置において、
予め指定された映像情報シーケンスの先頭にあるシーケンスヘッダ情報のアドレスと、上記シーケンスヘッダ情報のアドレスにそれぞれ対応した番号列情報とを含む画像情報テーブルを格納するためのメモリを備え、
上記光ディスクの再生時において、上記テーブル情報を読み出して得られる上記シーケンスヘッダ情報のアドレスにアクセスすることにより、上記指定された映像情報シーケンスの映像情報を復号し、画像選択のための一覧画像表示を行なうものである。
【発明の効果】
【００２１】
本発明は、以上説明したように構成されているので、検索画像等を任意に設定することができる。また、再生中の画像から検索画像等の画像を選択することができる。
【発明を実施するための最良の形態】
【００２２】
実施例１．
図１は、本発明の実施例１のビデオディスク記録再生装置を示すブロック回路図で、図１４と同一符号はそれぞれ同一または相当部分を示しており、２３は情報テーブルメモリで、検索画像等の選択画像の符号化データの先頭アドレス、この符号化データを復号するために必要な情報を含むデータの先頭アドレス、およびＩＤ信号発生回路２４で発生する光ディスク１８を識別するためのＩＤ信号を記憶する。２５はＩＤ信号発生回路２４の発生するＩＤ信号を、例えば、利用者が希望する適当な時点で光ディスク１８に記録する際に操作するスイッチである。
【００２３】
次に動作について説明する。光ディスク１８にはＧＯＰ構造を持った画像の高能率符号化データが記録されている。各ＧＯＰの先頭には、それぞれのＧＯＰを復号するために必要な情報を含んでいるＧＯＰヘッダが付加されている。また複数のＧＯＰからなるシーケンスの先頭にも、そのシーケンスに関する情報を含んでいるシーケンスヘッダが付加されている場合がある。
【００２４】
この光ディスク１８を再生するには、光ディスク１８に記録された圧縮映像信号を光ヘッド２０で再生して、再生アンプ９にて増幅し、復調器１０、デコーダ１１によりディジタルデータを復元する。そして例えば、ＭＰＥＧ復号方法による情報伸張手段１３により、ディジタル映像信号を復元し、Ｄ／Ａ変換器１４によりアナログの出力画像信号１５等を得てモニタ等に表示する。
【００２５】
情報テーブルメモリ２３には、光ディスク１８を識別するためにＩＤ信号発生回路２４が発生したＩＤ信号、光ディスク１８での検索画像等の選択画像の符号化データのディスク上の先頭アドレス、および該符号化データを再生するために必要な情報を含むデータの先頭アドレス、即ち該符号化データを含むＧＯＰのＧＯＰヘッダの先頭アドレス、該ＧＯＰを含むシーケンスに関するシーケンスヘッダの先頭アドレス等が記憶されており、また、複数の光ディスクの選択画像に関するデータも記憶されている場合もある。もちろんこの場合のデータのＩＤ信号は、それぞれ異なっている。
【００２６】
このようにして情報テーブルメモリに記憶されているテーブルの概略図を図２（Ｂ）に示す。
【００２７】
そして、このＩＤ信号発生回路２４の発生するＩＤ信号を、例えば、利用者が希望する時点で、スイッチ２５を操作することにより、光ディスク１８の特定部に記録する。
【００２８】
このように、光ディスク１８の特定部に記録されたＩＤ信号と、装置内の情報テーブルメモリ２３を利用することにより、光ディスク１８での任意の選択画像を検索、表示することができる。この理由を図２を用いて詳しく説明する。
【００２９】
図２（Ａ）は光ディスク１８上に記録された符号化データ構造を示す図であり、１０１はシーケンスヘッダ、１０２はＧＯＰ、１０３はＧＯＰヘッダである。また、１０７はシーケンスヘッダ１０１の先頭アドレス、１０８はＧＯＰヘッダ１０３の先頭アドレス、１０９はＢ６ピクチャの先頭アドレスである。
【００３０】
また、図２（Ｂ）は装置内の情報テーブルメモリ２３に記録されたテーブルの概略を示す図で、１１０はビデオディスク１８を識別するためのＩＤ信号を書き込む列、１１１はＩＤ信号に関する各選択画像に付けられた選択画像番号を書き込む列、１１２は選択画像を含むシーケンスに関するシーケンスヘッダのアドレスを書き込む列、１１３は選択画像を含むＧＯＰのＧＯＰヘッダのアドレスを書き込む列、１１４は選択画像の符号化データの先頭アドレスを書き込む列である。
【００３１】
前述したが、入力画像の何枚かの画像をまとめてＧＯＰ（Group of Picture）１０２と呼び、その中には次のようなピクチャが含まれる。即ち、フレーム内で符号化されるＩピクチャ、前方向の動き補償からフレーム間符号化されるＰピクチャ、前後方向の動き補償からフレーム間符号化されるＢピクチャ等である。これらのＧＯＰ１０２の連続で構成される画像情報が高能率符号化されるが、その際、ＧＯＰ単位の符号化データに、そのＧＯＰ１０２を復号するための情報を示したＧＯＰヘッダ１０３が加えられる。さらにＧＯＰ１０２をまとめたものがシーケンスとよばれ、シーケンスの先頭にはそのシーケンスの画面サイズ等の情報を記述したシーケンスヘッダ１０１が加えられる。このようなデータから成り立った符号化データが、アドレスが割り振られた光ディスク１８上に記録されている。
【００３２】
また再生時には、前記記録手順の逆手順を行なうことにより、光ディスク１８に記録された映像信号を再生、表示する。
【００３３】
ここで、例えばＢ６ピクチャ１０６を選択画像とする。Ｂ６ピクチャ１０６を復号するには、Ｉ１ピクチャ１０４とＰ４ピクチャ１０５を復号する必要があり、また、Ｐ４ピクチャ１０５を復号するには、Ｉ１ピクチャ１０４を復号する必要があり、さらに、Ｉ１ピクチャ１０４を復号するための情報がＧＯＰヘッダ１０３に記述されているので、ＧＯＰヘッダ１０３にある情報が必要となる。通常、ＧＯＰ１０２には１つだけＩピクチャが存在し、また、ＧＯＰヘッダ１０３の後にはＩピクチャが存在するので、結局Ｂ６ピクチャを選択画像として表示するには、Ｂ６ピクチャ１０６を含むＧＯＰ１０２をＧＯＰヘッダ１０３から読み込んでＩ１ピクチャ、Ｂ２ピクチャ、Ｂ３ピクチャ・・の順に復号化し、最後にＢ６ピクチャ１０６を復号して表示すればよい。そのために、Ｂ６ピクチャ１０６の符号化データが記録されている光ディスク１８上の先頭アドレス１０９と、Ｂ６ピクチャ１０６を含むＧＯＰ１０２のＧＯＰヘッダ１０３の先頭アドレス１０８が必要となる。
また、Ｂ６ピクチャ１０６を復号する際に必要なシーケンスヘッダ１０１の情報も必要となる場合があるので、シーケンスヘッダアドレス１０７も必要である。これらのアドレス情報を、装置の情報テーブルメモリ２３に記憶しておく。
【００３４】
さらに、光ディスク１８を識別するためのＩＤ信号を情報テーブルメモリ２３に記憶するとともに、例えば、使用者が希望する適当な時点で、スイッチ２５を操作し、光ディスク１８の特定部に前記ＩＤ信号を記録しておく。
【００３５】
なお、情報テーブルメモリ２３には、異なるＩＤ信号に関するデータも記憶されていてもよい。
【００３６】
上記のように構成されたビデオディスク記録再生装置により、個々の光ディスクに応じて、任意の選択画像を検索、表示することができる。それには図３に示すフローチャートのような動作を行なう。
【００３７】
まず、利用者により検索命令が指令されて検索動作が開始されると、光ディスク１８の特定部に記録されたＩＤ信号を読みとる（ステップ１）。そして読みとったＩＤ信号に対応したシーケンスヘッダアドレス、ＧＯＰヘッダアドレス、選択画像先頭アドレス等を装置内の情報テーブルメモリ２３から読み込み（ステップ２）、該当するシーケンスヘッダ、ＧＯＰヘッダにジャンプし、そこに書かれた情報を得る（ステップ３）（ステップ４）。そしてこのＧＯＰの先頭ピクチャから順に復号して（ステップ５）、選択画像の復号を終えると（ステップ６）、選択画像の復号画面を表示する（ステップ７）。そしてステップ８で検索終了指令があるまでステップ３〜ステップ７を繰り返して検索動作を終了する。
【００３８】
ところで、図２（Ａ）のＧＯＰ１０２内の最初にあるＢ２、Ｂ３のＢピクチャは、これより前のＧＯＰの最後のＩピクチャやＰピクチャを用いて復号しないといけないので、ＧＯＰ単位の独立性がそこなわれる。これを防ぐため、ＧＯＰヘッダ１０３にこのようなＢピクチャは後ろ方向の補償により復号することを示す情報を与えておく必要がある。即ち、この場合ではＩ１のみから予測するようにする。
【００３９】
実施例２．
図４は、本発明の実施例２のビデオディスク記録再生装置を示すブロック回路図で、図１と同一符号はそれぞれ同一または相当部分を示しており、２６は符号化データとビデオディスク１８上のアドレスとを対応づけるアドレス監視回路、２７は符号化データのビットストリーム中のＧＯＰヘッダやシーケンスヘッダを検出するヘッダ検出回路、３５は検索画像等の選択画像が選択されたことを示す画像選択信号である。
【００４０】
次に、実施例１と異なる部分の動作について説明する。前述したＧＯＰ構造を持った入力画像信号１はＡ／Ｄ変換器２によりディジタル信号に変換され、情報圧縮手段３により、高能率符号化された画像情報信号に変換される。その際、各ＧＯＰの先頭には、それぞれのＧＯＰを復号するために必要な情報を含んでいるＧＯＰヘッダが付加され、また、複数のＧＯＰからなるシーケンスの先頭にも、そのシーケンスに関する情報を含んでいるシーケンスヘッダが付加される。
【００４１】
そして、この画像情報は光ディスク１８に記録するためにエンコードされ、光ディスク上で符号間干渉の影響を小さくするための変調をうけた後、レーザを用いて光ディスク１８に記録される。
【００４２】
ＧＯＰヘッダや、シーケンスヘッダには、それぞれを識別するための情報であるユニークワードが含まれており、ヘッダ検出回路２７は、それを検出することにより各種ヘッダを検出、判断することができる。
【００４３】
また、アドレス監視回路２６は、画像に対応した符号化データが光ディスク１８上のどのアドレスに記録されるかを監視しており、このアドレス監視回路２６で監視するアドレスと、前記ヘッダ検出回路２７で検出されるヘッダとから、最新のＧＯＰヘッダ、シーケンスヘッダが記録されたアドレスを知ることができ、そのアドレスを情報テーブルメモリ２３に記憶しておく。
【００４４】
また、入力画像信号１のなかから選択画像を選択すると、この画像を選択したことを示す画像選択信号３５と、前記アドレス監視回路２６からの信号を利用することにより、選択した画像に対応した符号化データが記録されるアドレスを知ることができ、このアドレスを情報テーブルメモリ２３に記憶する。
また、ＩＤ信号発生回路２４は光ディスク１８を識別するためのＩＤ信号を発生し、このＩＤ信号も情報テーブルメモリ２３に記憶する。
【００４５】
このようにして情報テーブルメモリ２３に記憶されたテーブルの概略は図２（Ｂ）のようになる。
【００４６】
さらに、このＩＤ信号は、例えば、利用者が希望する時点でスイッチ２５を操作することにより、光ディスク１８の特定部に記録される。
【００４７】
このようにして光ディスク１８に記録されたＩＤ信号と、装置内の情報テーブルメモリ２３に記憶された選択画像のアドレスを利用することにより、実施例１で説明したのと同様の手順で光ディスク１８に記録された任意の選択画像を検索、表示することができる。
【００４８】
また、前記選択画像を検索、表示する動作は、図３に示したフローチャートと同様であるので、説明を省略する。
【００４９】
実施例３．
図５は、本発明の実施例３のビデオディスク記録再生装置を示すブロック回路図で、図４と同一符号はそれぞれ同一または相当部分を示しており、ヘッダ検出回路２７は光ディスク１８から再生された符号化データのビットストリーム中のＧＯＰヘッダやシーケンスヘッダを検出する点が、実施例２と異なる。
【００５０】
次に、実施例２と異なる部分の動作について説明する。
ヘッダ検出回路２７は、デコーダ１１で復号された映像データのＧＯＰヘッダやシーケンスヘッダを検出し、アドレス監視回路２６は、画像に対応した符号化データが、光ディスク１８上のどのアドレスに記録されているかを監視している。
【００５１】
このアドレス監視回路２６と、ヘッダ検出回路２７を利用して、最新のＧＯＰヘッダ，シーケンスヘッダが記録されているアドレスを知ることができ、そのアドレスを情報テーブルメモリ２３に記憶する。
【００５２】
出力画像信号１５のなかから、所望の画像を選択すると、この画像を選択したことを示す画像選択信号３５がアドレス監視回路２６に入力され、当該選択された画像の符号化データが記録されているアドレスを知ることができ、そのアドレスが情報テーブルメモリ２３に記憶される。
【００５３】
このようにして情報テーブルメモリ２３に記憶されたテーブルの概略は、図２（Ｂ）のようになる。
【００５４】
さらに、前記ＩＤ信号は、例えば、利用者が希望する時点でスイッチ２５を操作することにより、光ディスク１８の特定部に記録される。
【００５５】
このようにして光ディスク１８に記録されたＩＤ信号と装置内の情報テーブルメモリ２３に記憶された選択画像のアドレスを利用することにより、実施例１で説明したのと同様の手順で光ディスク１８から任意の選択画像を検索、表示することができる。
【００５６】
また、選択画像を検索、表示する動作は、図３に示したフローチャートと同様であるので、説明を省略する。
【００５７】
実施例４．
図６は、本発明の実施例４のビデオディスク記録再生装置を示すブロック回路図で、図１と同一符号はそれぞれ同一または相当部分を示しており、２８は通常の再生時と一覧表示時の処理を切り換えるスイッチ、２９は伸張した画像データを縮小するために必要なローパスフィルタ（ＬＰＦ）、３０はサブサンプル回路、３１は一覧表示画面を記憶する一覧画像メモリ、３２は一覧画像メモリ３１に記録された一覧表示画像を表示する際に操作するスイッチである。
【００５８】
次に、実施例１と異なる部分の動作について説明する。記録時の動作は、実施例１と同一である。
再生時には、光ディスク１８に記録されたＩＤ信号と、装置内の情報テーブルメモリ２３を利用することにより、光ディスク１８に記録された任意の選択画像を一覧表示することができ、光ディスク１８の記録内容を素早く知ることができる。
【００５９】
次に、この選択画像を一覧表示する場合の動作を、図７のフローチャートを用いて説明する。
まず、一覧表示が指令されて一覧表示動作を開始すると、ステップ１で光ディスク１８の特定部に記録されたＩＤ信号を読みとってから、ステップ６で選択画像のピクチャの復号を終了するまでの動作は、図３と同じである。次に、ステップ１１でスイッチ２８をＬＰＦ２９側に切り換えて、後の処理に備えるために高域の成分を除去し、その後、サブサンプル回路３０により１／Ｎにサブサンプルし、１／Ｎの縮小画像を得る縮小画像に変換する処理を施す。次にこの縮小画像を一覧画像メモリ３１に記憶しておく（ステップ１２）。
【００６０】
これらの一連の動作を繰り返す（ステップ１３）ことにより、一覧画像メモリ３１にディスク内に記録されたＮ個の選択画像の縮小画面で構成された一覧画像が記憶される。そして、ステップ１４でスイッチ３２を操作することで図８に一覧画像メモリ３１に記憶された一覧画像を表示することができるので、光ディスク１８に記録された内容を容易に知ることができる。
【００６１】
実施例５．
図９は、本発明の実施例５のビデオディスク再生装置を示すブロック回路図で、図１と同一符号はそれぞれ同一または相当部分を示しており、３３は光ディスク１８の特定部に記録された映像信号等のビット列を検出、利用してＩＤ信号を発生するＩＤ信号検出回路、３４は通常再生時と、前記ＩＤ信号検出回路３３でビデオディスク１８の特定部のビット列からＩＤ信号を発生する時に切り換えられるスイッチである。
【００６２】
次に、本実施例５の、実施例１の再生時の動作と異なる部分について説明する。通常、各光ディスクに記録されている映像信号等は異なっているため、光ディスクの特定部に記録されているビット列はディスクによって異なる。ＩＤ信号検出回路３３は、光ディスクの特定部に記録されている映像信号等のビット列から光ディスク１８を識別するためのＩＤ信号を発生する。
【００６３】
次に、個々の光ディスクに記録されている画像から、任意の選択画像を検索、表示する動作を説明する。
【００６４】
図１０はこの動作のフローチャートで、まず、検索が指令されると、ステップ２１でスイッチ３４をＩＤ信号検出回路３３側に切り換える。ＩＤ信号検出回路３３は、光ディスク１８の特定部に記録されたビット列を検出し、それを利用してＩＤ信号を発生する。次に、ステップ２では、ステップ２１で発生したＩＤ信号に対応したシーケンスヘッダアドレス、ＧＯＰヘッダアドレス、選択画像先頭アドレス等を装置内の情報テーブルメモリ２３から読み込み、ステップ３で該当するシーケンスヘッダにアクセスし、ステップ４でＧＯＰヘッダにアクセスしてそこに書かれた情報を得る。そしてステップ５でスイッチ３４を情報伸長手段１３側に切り換えて、該ＧＯＰの先頭ピクチャから順に復号を開始し、ステップ６で選択画像の復号を終えると、ステップ７で選択画像の復号画面を表示し、ステップ８で、ステップ３からステップ７までの動作を繰り返して検索が終わると、動作を終了する。
【００６５】
実施例６．
図１１は、本発明の実施例６のビデオディスク再生装置を示すブロック回路図で、図４および図９と同一符号はそれぞれ同一または相当部分を示している。
【００６６】
次に、本実施例５の、実施例１の再生時の動作と異なる部分について説明する。上述した各種ヘッダには、それぞれを識別するための情報であるユニークワードが含まれており、それを検出することにより各種ヘッダを検出、判断することができる。ヘッダ検出回路２７は、この方法を利用してＧＯＰヘッダやシーケンスヘッダを検出する。
【００６７】
また、光ディスク１８上にはあらかじめ場所を特定するためのアドレスが割り当てられており、アドレス監視回路２６は、画像に対応した符号化データが光ディスク１８上のどのアドレスに記録されているかを監視する。
【００６８】
このアドレス監視回路２６と、前記ヘッダ検出回路２７を利用して、最新のＧＯＰヘッダ、シーケンスヘッダが記録されているアドレスを知ることができ、そのアドレスを情報テーブルメモリ２３に記憶する。
【００６９】
出力画像信号１５のなかから、選択画像を選択すると、画像を選択したことを示す画像選択信号３５と、前記アドレス監視回路２６からの信号から選択画像の符号化データが記録されているアドレスを知ることができ、そのアドレスを情報テーブルメモリ２３に記憶する。
【００７０】
また、ＩＤ信号検出回路３３は、スイッチ３４が操作されたとき、光ディスク１８を識別するためのＩＤ信号を、前記光ディスク１８の特定部に記録されているビット列から発生し、このＩＤ信号も情報テーブルメモリ２３に記憶する。
【００７１】
このようにして情報テーブルメモリに記憶されているテーブルの概略図を図２（Ｂ）に示す。
【００７２】
上記のような構成で成るビデオディスク再生装置により、光ディスク１８に記録された任意の選択画像を検索、表示するには、次に述べるような動作を行なえばよい。まず検索を開始すると、スイッチ３４を操作し、光ディスク１８の特定部に記録されたビット列を検出し、それを用いてＩＤ信号を発生させる。そして発生したＩＤ信号に対応したシーケンスヘッダアドレス、ＧＯＰヘッダアドレス、選択画像先頭アドレス等を装置内の情報テーブルメモリ２３から読み込み、該当するシーケンスヘッダ、ＧＯＰヘッダにジャンプし、そこに書かれた情報を得る。そして該ＧＯＰの先頭ピクチャから順に復号して、選択画像の復号を終えると、選択画像の復号画面を表示する。これら一連の動作のフローチャートは図１０と同様である。
【００７３】
実施例７．
図１２は、本発明の実施例７のビデオディスク記録再生装置を示すブロック回路図で、図６および図９と同一符号はそれぞれ同一または相当部分を示している。
【００７４】
次に動作について説明する。光ディスク１８にはＧＯＰ構造を持った画像の高能率符号化データが記録されている。各ＧＯＰの先頭には、それぞれのＧＯＰを復号するために必要な情報を含んでいるＧＯＰヘッダが付加されている。また、複数のＧＯＰからなるシーケンスの先頭にも、そのシーケンスに関する情報を含んでいるシーケンスヘッダが付加されている場合がある。
【００７５】
この光ディスク１８を再生するには、光ディスク１８に記録された圧縮映像信号を、再生アンプ９にて増幅し、復調器１０、デコーダ１１によりディジタルデータを復号する。
そして、例えばＭＰＥＧ復号方法による情報伸張手段１３により、ディジタル映像信号を復号し、Ｄ／Ａ変換器１４によりアナログの出力画像信号１５等を得てモニタ等に表示する。
【００７６】
通常、各光ディスクに記録されている映像信号等は異なっているため、前記光ディスクの特定部に記録されているビット列はディスクによって異なる。このことを利用してＩＤ信号検出回路３３は、特定部に記録されている映像信号等のビット列から光ディスク１８を識別するためのＩＤ信号を発生する。
【００７７】
また、情報テーブルメモリ２３には、光ディスク１８を識別するためにＩＤ信号検出回路３３が発生したＩＤ信号、光ディスク１８での検索画像等の選択画像の符号化データのディスク上の先頭アドレス、および該符号化データを再生するために必要な情報を含むデータの先頭アドレス、即ち、該符号化データを含むＧＯＰのＧＯＰヘッダの先頭アドレス、該ＧＯＰを含むシーケンスに関するシーケンスヘッダの先頭アドレス等が記憶されている。
【００７８】
なお、光ディスク１８とは異なる光ディスクでの選択画像に関するデータも情報テーブルに記憶されている場合もある。もちろん、この場合のデータのＩＤ信号は光ディスク１８に対応して異なっている。
【００７９】
このようにして情報テーブルメモリに記憶されているテーブルの概略図を図２（Ｂ）に示す。
【００８０】
これらを用いて、光ディスク１８に記録された任意の選択画像を一覧表示することができ、光ディスク１８の記録内容を素早く知ることができる。上記選択画像を一覧表示する場合の動作を図１３のフローチャートに示す。
【００８１】
まず、一覧表示動作を開始し、利用者がスイッチ３４を操作すると、ステップ３１でＩＤ信号検出回路３３は、光ディスク１８の特定部に記録されたビット列を利用してＩＤ信号を発生する。そしてステップ２では、ステップ３１で発生したＩＤ信号に対応したシーケンスヘッダアドレス、ＧＯＰアドレス、選択画像先頭アドレス等を装置内の情報テーブルメモリ２３から読み込む。
【００８２】
そして、これらをもとに、ステップ３でシーケンスヘッダにアクセスし、シーケンス情報を得る。そして、ステップ４でＧＯＰヘッダにアクセスし、ステップ５でそのＧＯＰの先頭のピクチャから復号を開始し、ステップ６で選択画像のピクチャの復号を終了した後、スイッチ２８を操作し、ステップ１１で縮小画像に変換する処理を施す。そのため、後の処理に備えるため、高域の成分をローパスフィルタ２９により除去する。その後、サブサンプル回路３０により１／Ｎにサブサンプルして１／Ｎの縮小画像を得、これをステップ１２で一覧画像メモリ３１に記憶しておく。
【００８３】
これらの一連の動作を繰り返すことにより、一覧画像メモリ３１には、ディスク内に記録されたＮ個の選択画像の縮小画面により構成される一覧画像が記憶される（ステップ１３）。図８に一覧画像メモリに記憶された一覧画像を示す。そしてステップ１４でスイッチ３２を操作し、一覧画像を表示することにより、光ディスク１８に記録された内容を容易に知ることができる。
【００８４】
なお、上記各実施例では、選択画像を主に検索画像とした例を述べたが、例えば、プログラムの頭だしのための画像や、前回再生中断した画像等の画像にも応用できることは明かである。
【図面の簡単な説明】
【００８５】
【図１】本発明の実施例のビデオディスク記録再生装置を示すブロック回路図である。
【図２】実施例１の動作を説明するための図である。
【図３】本発明の実施例１、実施例２および実施例３の画像検索時の動作を示すフローチャートである。
【図４】本発明の実施例２のビデオディスク記録再生装置を示すブロック回路図である。
【図５】本発明の実施例３のビデオディスク記録再生装置を示すブロック回路図である。
【図６】本発明の実施例４のビデオディスク記録再生装置を示すブロック回路図である。
【図７】実施例４の一覧画像表示時の動作を示すフローチャートである。
【図８】実施例４および実施例７の一覧表示画像を示す図である。
【図９】本発明の実施例５のビデオディスク再生装置を示すブロック回路図である。
【図１０】実施例５および実施例６の画像検索時の動作を示すフローチャートである。
【図１１】本発明の実施例６のビデオディスク再生装置を示すブロック回路図である。
【図１２】本発明の実施例７のビデオディスク再生装置を示すブロック回路図である。
【図１３】実施例７の一覧画像表示時の動作を示すフローチャートである。
【図１４】従来の光ディスク記録再生装置を示すブロック回路図である。
【図１５】ＭＰＥＧ方式のデータ配列構造を説明するための図である。
【図１６】ＧＯＰの符号化構造を説明するための図である。
【符号の説明】
【００８６】
１  入力画像信号、  ２  Ａ／Ｄ変換器、  ３  情報圧縮手段、  ５  エンコーダ、  ６  変調器、  ７  レーザ駆動回路、  ９  再生アンプ、  １０  復調器、  １１  デコーダ、  １３  情報伸張手段、  １４  Ｄ／Ａ変換器、  １５  出力画像信号、  １６  モータ駆動回路、  １７  制御回路、  １８  光ディスク、  １９  ディスクモータ、  ２０  光ヘッド、  ２１  アクチュエータ、  ２２  トラバースモータ、  ２３  情報テーブルメモリ、  ２４  ＩＤ信号発生回路、  ２５，２８，３２，３４  スイッチ、  ２６  アドレス監視回路、  ２７  ヘッダ検出回路、  ２９  ローパスフィルタ（ＬＰＦ）、  ３０  サブサンプル回路、  ３１  一覧画像メモリ、  ３３  ＩＤ信号検出回路、  ３５  画像選択信号、  １０１  シーケンスヘッダ、  １０２，１２１  ＧＯＰ、  １０３  ＧＯＰヘッダ、  １０４  Ｉ１ピクチャ、  １０５  Ｐ４ピクチャ、  １０６  Ｂ６ピクチャ、  １０７  シーケンスヘッダアドレス、  １０８  ＧＯＰヘッダアドレス、  １０９  Ｂ６ピクチャ符号化データ先頭アドレス、  １１０  ＩＤ信号列、  １１１  選択画像番号列、  １１２  シーケンスヘッダ先頭アドレス列、  １１３  ＧＯＰヘッダ先頭アドレス列、  １１４  選択画像先頭アドレス列、  １２２  ＧＯＰレイヤ、  １２３  スライス、  １２４  スライスレイヤ、  １２５  マクロブロックレイヤ、  １２６  ブロックレイヤ、  １３１  Ｉピクチャ、  １３２  Ｐピクチャ、  １３３  Ｂピクチャ。
【図１】
2006262499.tif 000003
【図２】
2006262499.tif 000004
【図３】
2006262499.tif 000005
【図４】
2006262499.tif 000006
【図５】
2006262499.tif 000007
【図６】
2006262499.tif 000008
【図７】
2006262499.tif 000009
【図８】
2006262499.tif 000010
【図９】
2006262499.tif 000011
【図１０】
2006262499.tif 000012
【図１１】
2006262499.tif 000013
【図１２】
2006262499.tif 000014
【図１３】
2006262499.tif 000015
【図１４】
2006262499.tif 000016
【図１５】
2006262499.tif 000017
【図１６】
2006262499.tif 000018